(57)【特許請求の範囲】
【請求項１】
側壁を備えた函体と、側壁を備え前記函体に被せられる蓋体と、前記蓋体の一側壁となる連接部とをヒンジ結合してなり、シェル内に供給リールと巻取りリールを配したテープカセットを収納するためのテープカセット用収納ケースであって、前記函体の底面板に対し、前記供給リール及び前記巻取りリールの各ハブ穴に遊挿される一対の円筒状部が立設配置されるテープカセット用収納ケースにおいて、
前記ハブ穴が、内周面にリール駆動用爪が形成される駆動爪穴部と、前記駆動爪穴部と同心的に形成され前記駆動爪穴部よりも小径の基準穴部とからなり、
前記一対の円筒状部が、前記基準穴部に到達する高さに形成される
ことを特徴とするテープカセット用収納ケース。
【請求項２】
前記一対の円筒状部の少なくとも先端部には、その高さ方向へ複数のスリットが形成される
ことを特徴とする請求項１に記載のテープカセット用収納ケース。
【請求項３】
側壁を備えた函体と、側壁を備え前記函体に被せられる蓋体と、前記蓋体の一側壁となる連接部とをヒンジ結合してなり、シェル内に供給リールと巻取りリールを配したテープカセットを収納するためのテープカセット用収納ケースであって、前記函体の底面板に対し、前記供給リール及び前記巻取りリールの各ハブ穴に遊挿される一対の円筒状部が立設配置されたテープカセット用収納ケースにおいて、
前記函体の底面板と前記蓋体の天面板との少なくとも何れか一方に、内方へ凸で凸内に空間を有し、前記テープカセットのシェルまたは少なくとも一方の前記リールに当接して前記テープカセットを支持する弾性変形可能な単数または複数の凸面部が、一体的に樹脂成形されてなるとともに、
前記ハブ穴が、内周面にリール駆動用爪が形成される駆動爪穴部と、前記駆動爪穴部と同心的に形成され前記駆動爪穴部よりも小径の基準穴部とからなり、前記一対の円筒状部が、前記基準穴部に到達する高さに形成されている
ことを特徴とするテープカセット用収納ケース。
【請求項４】
前記凸面部の上面から内方へ突出して前記テープカセットのシェルに当接する単数または複数の突起部が形成されている
ことを特徴とする請求項３に記載のテープカセット用収納ケース。
【請求項５】
前記突起部が、内部に弾性材料を充填した環状のリブ体からなる
ことを特徴とする請求項４に記載のテープカセット用収納ケース。
【請求項６】
前記天面板が単段の前記凸面部とされ、前記単段の凸面部の内面側の四隅部に前記突起部が形成されて、前記天面板の内面に前記突起部を位置決めに利用し、前記天面板の内面に透明なシートまたはフィルムを略中央部分は非融着となるように周囲で融着してカード用ポケットが設けられている
ことを特徴とする請求項４に記載のテープカセット用収納ケース。
【請求項７】
前記天面板が単段の凸面部とされ、前記底面板の外面には、前記凸面部の外面周縁段部よりも内方に位置する脚部が突設される
ことを特徴とする請求項３に記載のテープカセット用収納ケース。
【請求項８】
前記凸面部が、二段以上の多段凸面部とされる
ことを特徴とする請求項３に記載のテープカセット用収納ケース。
【請求項９】
前記底面板には、収納される前記テープカセットのリール台挿入用開口に同心的に二段以上の多段凸面部が形成されており、かつ前記多段凸面部の最上段が前記リール台挿入用開口へ挿入され、前記最上段の上面が前記リールに当接して前記テープカセットを支持する
ことを特徴とする請求項３に記載のテープカセット用収納ケース。
【請求項１０】
前記底面板に前記凸面部が形成され、前記凸面部の上面には、前記一対の円筒状部が立設配置される
ことを特徴とする請求項３に記載のテープカセット用収納ケース。
【請求項１１】
前記多段凸面部の上面には、前記各リールのハブ穴へ遊挿される一対の円筒状部が立設配置される
ことを特徴とする請求項９に記載のテープカセット用収納ケース。
【請求項１２】
前記円筒状部の少なくとも先端部には、その高さ方向へ複数のスリットが形成される
ことを特徴とする請求項３に記載のテープカセット用収納ケース。
【請求項１３】
前記スリットの形成幅が、前記円筒状部の先端部側ほど大とされている
ことを特徴とする請求項１２に記載のテープカセット用収納ケース。
【請求項１４】
前記円筒状部の先端部には、外方へ突出する端面略球面状の膨出部が形成される
ことを特徴とする請求項１２に記載のテープカセット用収納ケース。
【請求項１５】
側壁を備えた函体と、側壁を備え前記函体に被せられる蓋体と、前記蓋体の一側壁となる連接部とをヒンジ接合してなり、シェル内に供給リールと巻取りリールを配したテープカセットを収納するためのテープカセット用収納ケースにおいて、
前記函体の側壁の内の少なくとも一側壁が、側壁部と、その上縁の所定部位から上方へ突出された突出壁部とからなり、前記突出壁部の少なくとも上端部は、前記函体の内側へ向けて形成されており、前記テープカセットの移動時に前記突出壁部を弾性変形させる
ことを特徴とするテープカセット用収納ケース。
【請求項１６】
前記突出壁部の上端側の内面に突出部が形成されている
ことを特徴とする請求項１５に記載のテープカセット用収納ケース。
【請求項１７】
前記連接部が前記両ヒンジ間を外へ凸の略円弧状で弾性変形可能な曲面とされ、長手方向の両端部の内面側に同一の略円弧状のリブが形成されている
ことを特徴とする請求項１５に記載のテープカセット用収納ケース。
【請求項１８】
側壁を備えた函体と、側壁を備え前記函体に被せられる蓋体と、前記蓋体の一側壁となる連接部とをヒンジ接合してなり、シェル内に供給リールと巻取りリールを配したテープカセットを収納するためのテープカセット用収納ケースにおいて、
前記函体の底面板および前記蓋体の天面板が、それぞれ前記函体の側壁および前記蓋体の側壁よりも外側へ薄肉として張り出され、先端側が内側へほぼ（１／４）楕円弧状または（１／４）円弧状の曲面に曲げられて弾性変形可能な外周縁部とされている
ことを特徴とするテープカセット用収納ケース。
【請求項１９】
前記底面板側の外周縁部の前記先端側の曲面より内側に、前記蓋体の側壁の外面に近接して直立する障壁が形成されている
ことを特徴とする請求項１８に記載のテープカセット用収納ケース。
【請求項２０】
前記連接部の反対側において前記外周縁部を欠落させて単数又は複数のサイドロック部が設けられており、前記底面板とヒンジによって接続されたフラップ板が前記外周縁部の先端よりも内側において前記蓋体の側壁に重ねられ係止されると共に、前記函体の側壁と前記蓋体の側壁をロックする側壁ロック部を組み合わせてダブルロックされる
ことを特徴とする請求項１８に記載のテープカセット用収納ケース。
【請求項２１】
前記フラップ板は、前記ヒンジ側の端辺部がこれと対向する外縁側の端辺部よりも長く形成された略台形状を呈すると共に、前記蓋体の側壁には前記フラップ板を係止する係止部が設けられる
ことを特徴とする請求項２０に記載のテープカセット用収納ケース。
【請求項２２】
前記係止部が設けられる側壁と前記蓋体の天面板との間の角部を部分的に欠落させてなる凹所が形成される
ことを特徴とする請求項２１に記載のテープカセット用収納ケース。
【請求項２３】
側壁を備えた函体と、側壁を備え前記函体に被せられる蓋体と、前記蓋体の一側壁となる連接部とをヒンジ接合してなり、シェル内に供給リールと巻取りリールを配したテープカセットを収納するためのテープカセット用収納ケースにおいて、
前記函体の底面板と前記蓋体の天面板との少なくとも何れか一方に形成された、内方へ凸で凸内に空間を有し、前記テープカセットのシェルまたは少なくとも一方の前記リールに当接して前記テープカセットを支持する弾性変形可能な単数または複数の凸面部と、
前記凸面部の上面に立設配置され前記各リールのハブ穴へ遊挿される一対の円筒状部と、
前記函体の側壁の内の少なくとも一側壁の上縁の所定部位から突出され、上端内面に突出部が形成された突出壁部と、
前記底面板および前記天面板が、前記函体の側壁および前記蓋体の側壁よりも外側へ薄肉として張り出され、先端側が内側へほぼ（１／４）楕円弧状または（１／４）円弧状の曲面に曲げられた弾性変形可能な外周縁部と、
前記両ヒンジ間を外へ凸の略円弧状で弾性変形可能な曲面とされ、長手方向の両端部の内面側に同一の略円弧状のリブが形成された前記連接部とが、
一体的に樹脂成形されてなる
ことを特徴とするテープカセット用収納ケース。
【発明の詳細な説明】
【０００１】
【発明の属する技術分野】
本発明はテープカセットを収納するための収納ケースに関するものであり、更に詳しくは、例えば落下衝撃を受けた時に、テープカセットのリールに巻かれているテープに巻きずれを発生させず、リール及びテープカセットの構成部品に損傷を与えない収納ケースに関するものである。
【０００２】
【従来の技術】
放送局向けや消費者向けのビデオテープカセットは、ライブラリーとして保存するために、一般的には別に用意される合成樹脂製の収納ケースに収納されることが多い。図２９は、従来例の収納ケース１００についての外観斜視図であり、図２９Ａは蓋体を閉じた状態、図２９Ｂは蓋体を開けた状態である。
【０００３】
すなわち、収納ケース１００は四側壁１０３を有する函体１０１と、三側壁３０３を有する蓋体３０１と、函体１０１の底面板１０２および蓋体３０１の天面板３０２にヒンジ２０２とヒンジ２０３で接続され、蓋体３０１を閉じた状態で蓋体３０１の一側壁となる連接部２０１とからなっている。蓋体３０１の表面の中央部には、タイトルカード類を挿入し得るように透明フィルムを例えば高周波誘電加熱によってスポット的に融着して挿入ポケット３０４が設けられている。また、蓋体３０１の内部において、連接部２０１とは反対側である正面側の側壁３０３はリブ３０３ｒで補強され、両端部には側壁ロック部３０６が設けられている。また、天面板３０２の約半分の領域を占めて短辺側の側壁３０３に接する部分とヒンジ２０３に接する部分とからなる直角な線状部分３０７ｓで透明フィルムを融着して記録カード等を挿入するためのカード用ポケット３０７が設けられている。
【０００４】
函体１０１にはそれぞれ中央部分を低くした四側壁１０３が連続して設けられており、正面側の側壁１０３の両端部には、上記の側壁ロック部３０６のフック３０６ｆを係止させる係止穴１０６が形成されている。また、底面板１０２の中央部分には、収納されるテープカセットＣの裏面側からリールのハブ穴へ遊挿されて、テープカセットを係止するための２個の円筒状部１０７が設けられている。そして図３０は、蓋体３０１を開けた収納ケース１００の函体１０１内へ業務用テープカセットＣを収納した状態を示す。なお図３０においては、テープカセットＣの表面側が示されており、上述の裏面側のハブ穴は図示されていない。
【０００５】
テープカセットＣは収納ケース１００に収納されて、ライブラリー等に保存されるが、テープカセットＣはサイズが大きく、例えば横２５４ｍｍ、縦１４３ｍｍｍ、厚さ１５ｍｍのものがあり重量も大である。従って放送局関係者がライブラリ−の中で、また室内や戸外での撮影の準備中に、テープカセットＣを収納した収納ケース１００を過ってコンクリート等の固い床面や道路上へ落下させることがある。従来例の収納ケース１００は耐衝撃性に対する配慮が殆どなされていないので、高所から落下されるとテープカセットＣ内のテープが大きく弛んでＶＴＲ（ビデオテープレコーダ）へのローディングが正常に行われなくなったり、テープが巻き付けられているリールの回転をロックするためのラチェット機構が破損する等の大きいトラブルの原因になる。また、大きいトラブルに至らずとも、リールに巻き付けられているテープの端面が損傷を受けて画像に乱れを招く場合が少なからずある。そのほか、側壁ロック部３０６が弛んで蓋体３０１が開き易いという問題もある。
【０００６】
このようなトラブルに対処するものとして、例えば特開平８ー２５３２８５号公報には、その外周縁に弾性変形する衝撃緩衝部材を設けたカセットケースが開示されており、具体例として、ケースの上下板をそれぞれ外側へ延長したフランジ部と、フランジ部の少なくともコーナー部近傍に設けられ上下方向に突出するリブとによって衝撃を緩和させるようにした収納ケースが開示されている。そのほか、特開平９ー４００６５号公報には、落下衝撃を受けた場合に、テープカートリッジ内のリールの遊動の阻止を目的として、蓋体部の底面部に設けられテープカートリッジを圧接する第１弾性部材と、本体部の底面部に穿設された複数の空気孔および空気孔を覆って内方に空気が封入されてテープカートリッジを圧接するシート状の第２弾性部材と、テープカートリッジの位置決め凸部の外周部に穿設された複数の空気孔および空気孔を覆って位置決め凸部に設けられてテープカートリッジのテープ供給リールおよびテープ巻取りリールを圧接するシート状の第３弾性部材とを備え、テープ供給リール、テープ巻取りリールの回転方向の遊動を阻止することによってテープの緩みを防止するキャリングケースが提案されている。そして、第１弾性部材としては、内方に空気が封入されたシート状のもの以外に、先端部に保持部材を設けたコイルバネや矩形板状のスポンジが例示されている。
【０００７】
更には、特開平１０−２５８８８８号公報には、テープカセットが収納されると、テープカセットのシェルを支持する上下動可能なシェル支持部に設けたリール台座がリールをテープカセットのシェルから浮上させるようにしたテープカセット収納ケースが開示されいる。すなわち、記録再生が終了しテープカセットをＶＴＲから取り出す時に、浮上されていたリールは下降されてテープカセットのシェルに当接するが、この時、テープがテープガイドに密着して下降しない場合があり、その場合、テープの上側エッジが上側リールに押し付けられて変形するが、その変形を回避し得るようにしたものである。そして、シェル支持部を上下動可能とする弾性部としては、収納部の底面に取り付けた両持ちまたは片持ちの板バネ、コイルスプリング、蛇腹状合成樹脂が挙げられている。
【０００８】
【発明が解決しようとする課題】
特開平８ー２５３２８５号の収納ケースは、フランジ部のコーナー部近傍に設けるリブをフランジ部から上下方向へ突出させるものでり、金型からの取り出しが困難であるから、収納ケースの成形に際しては１ショットで成形することはできず、予めフランジ部およびリブとなる部分を作製して金型内に嵌め込んでおき、その金型へ本体部分をインジェクション成形して一体的に接合する方法が採用されている。すなわち、製造プロセスが複雑であり、コストを増大させる。また、特開平９ー４００６５号のキャリングケースに使用されているシート状の弾性部材は衝撃の緩和に適用することは可能であろうが、その場合にはシート状の弾性部材の周縁部を例えば収納用ケースの底面部に対して内方に空気が封入された状態で融着または接着させる作業を要するので、プロセスが複雑であり製造コストを増大させる。そのほか、特開平１０−２５８８８８号のテープカセット収納ケースは、テープカセットを支持する弾性部として挙げられている板バネ、コイルスプリング、蛇腹状合成樹脂は何れも別途に用意して収納部の底面に取り付けられたものであり、部品点数の増大を招き、それらの取付け作業を要する。
【０００９】
本発明は上述の問題に鑑みてなされ、テープカセットを収納する収納ケースが例えば落下衝撃を受けた時に、リール及びテープカセットの構成部品に損傷を与えず、更には製造工程が簡易な低コストのテープカセット用収納ケースを提供することを課題とする。
【００１０】
【課題を解決するための手段】
上記の課題は請求項１、請求項３、請求項１５、請求項１８、または請求項２３の構成によって解決されるが、その解決手段を説明すれば、次の如くである。
【００１１】
請求項１のテープカセット用収納ケースは、側壁を備えた函体と、側壁を備え前記函体に被せられる蓋体と、蓋体の一側壁となる連接部とをヒンジ結合してなり、シェル内に供給リールと巻取りリールを配したテープカセットを収納するためのテープカセット用収納ケースであって、函体の底面板に対し、供給リール及び巻取りリールの各ハブ穴に遊挿される一対の円筒状部が立設配置されるテープカセット用収納ケースにおいて、上記ハブ穴が、内周面にリール駆動用爪が形成される駆動爪穴部と、駆動爪穴部と同心的に形成され駆動爪穴部よりも小径の基準穴部とからなり、上記一対の円筒状部が、上記基準穴部に到達する高さに形成されることを特徴とする。このようなテープカセット用収納ケースは、底面板、天面板に平行な方向の成分を有する衝撃を受けた時に、一対の円筒状部が各リールの基準穴部との当接により容易に弾性変形して衝撃を緩和し、リール及びテープカセットの構成部品を破損に至らしめない。
【００１２】
請求項３のテープカセット用収納ケースは、上記請求項１の構成に加えて、以下の構成を具備している。すなわち、函体の底面板と蓋体の天面板との少なくとも何れか一方に、内方へ凸で凸内に空間を有し、テープカセットのシェルまたは少なくとも一方のリールに当接してテープカセットを支持する弾性変形可能な単数または複数の凸面部が、一体的に樹脂成形されている。このようなテープカセット用収納ケースは、底面板、天面板に垂直な方向の成分を有する衝撃を受けた時に、底面板や天面板に設けられた凸面部が上下方向に弾性変形してテープカセットが受ける衝撃を緩和させるので、リール及びテープカセットの構成部品を破損に至らしめない。
【００１３】
なお、上記において、少なくとも何れか一方のリールを凸面部で支持しても可とするのは、例えば収納ケースに収納したテープカセットが未使用で、テープが供給リールに一杯に巻かれている場合や、記録再生後に巻き戻されて同様にテープが供給リールに一杯に巻かれている場合に対処し得るからである。テープが巻取りリールに巻かれた場合にも対応させるには、両方のリールを凸面部で支持することが好ましいことは言うまでもない。
【００１４】
函体の底面板および蓋体の天面板の少なくとも何れか一方に形成される凸面部は上下方向に弾性変形することによって、衝撃の底面板、天面板に垂直な方向の成分を緩和させる。凸面部としては、例えば、底面板または天面板のほぼ全面に形成させた１個の凸面部、収納されるテープカセットのシェルの下面に形成され、ＶＴＲから上昇されてくるリール台座を挿入させる２個のリール台座挿入用開口の少なくとも一方に同心的に設けられた凸面部、上記２個のリール台座挿入用開口を挟むように平行に設けられた横長の２個の凸面部のほか、３個以上の凸面部であってもよい。ただ、１個の凸面部の占める面積が小さい場合には弾性による変形量が小さくなり、衝撃緩和の効果が小さくなる。
【００１５】
凸面部の立体形状に付いて言えば、底面を持たない極低高の円錐台形状、角錐台形状や円筒形状とすることができ、凸面部の立体形状は特に限定されないが、円錐台形状とすることによって、その傾斜した側壁が上下方向の弾性変形を容易化させる。また更には、凸面部の上面から上方へ小さい凸面部を突出させて二段以上の多段に形成させた凸面部としてもよい。このとき、最上段の凸面部をテープカセットのシェルのリール台座挿入開口へ挿入し、リールに当接させてテープカセットを支持する形態と、凸面部をテープカセットのシェルに当接させてテープカセットを支持する形態とが考えられるが、何れの形態によっても衝撃緩和効果を得ることができる。なお、前者の形態においては、リールをシェルから浮上させて支持する態様も含まれる。
【００１６】
テープカセットの上下の両面を挟持する函体の底面板と蓋体の天面板との何れか一方の凸面部によって衝撃が緩和される場合には、他方は剛直な面によって挟持してもよいが、より好ましくは、両面共に弾性変形する凸面部で挟持する構造の収納ケースとされる。この場合、両面を同等の高さの凸面部によって挟持してもよく、また、一方の面は多段凸面部とし、他方の面は一方の面の多段凸面部より低い高さの凸面部とし、その上面に単数または複数の突起部を設け、一方の多段凸面部と他方の突起部とで挟持するようにしてもよい。
【００１７】
また、単段凸面部の上面または多段凸面部の最上段の上面に、少なくとも高さ方向へ複数のスリットが形成される円筒状部を設けて、テープカセットのハブ穴へ遊挿することにより、テープカセットが受ける衝撃の底面板、天面板に平行な方向の成分は円筒状部の曲がりによって緩和されるが、この曲がりを可能とするスリットの数、長さは円筒状部の肉厚とも関連するので収納カセットの設計時に適宜設定される。また、スリット幅は、成形後の金型からの取出しを容易にするための抜き勾配を与えるという見地から、円筒状部の先端部側ほど大にすることが好ましく、その勾配も設計時に適宜設定される。
【００１８】
請求項１５のテープカセット用収納ケースは、函体の側壁の内の少なくとも一側壁が、側壁部と、その上縁の所定部位から上方へ突出された突出壁部とからなり、突出壁部の少なくとも上端部は、上記函体の内側へ向けて形成されており、テープカセットの移動時に上記突出壁部を弾性変形させるものである。このようなテープカセット用収納ケースは、底面板、天面板に平行な方向の成分を有する衝撃を受けた時に、収納ケース内でテープカセットが移動し接触する突出壁部が弾性変形することにより、テープカセットが受ける衝撃を緩和させる。
【００１９】
突出壁部の形状は通常は方形とされるが、台形、三角形、また半円形としてもよく、その形状は限定されない。また、突出壁部の上端側の内面に突出部を設けることにより、テープカセットは突出部を介して突出壁部の自由端である上端側に接触するので、突出壁部の弾性変形量が大きくなり、テープカセットが受ける衝撃を効果的に緩和させる。
【００２０】
また、連接部が両ヒンジ間を外へ凸の略円弧状で弾性変形可能な曲面とされ、長手方向の両端部の内面側に同一の略円弧状のリブが形成されたものとすることにより、連接部が衝撃を受けた時に、両端部がリブによって支持され中間部の曲面が沈んで弾性変形することによってテープカセットが受ける衝撃を緩和させる。リブに代わるものとして、両端部の肉厚を両端へ向かって漸増させたものとしてもよい。
【００２１】
請求項１８のテープカセット用収納ケースは、函体の底面板および蓋体の天面板が、それぞれ函体の側壁および蓋体の側壁よりも外側へ薄肉として張り出され、先端側が内側へほぼ（１／４）楕円弧状または（１／４）円弧状の曲面に曲げられて弾性変形可能な外周縁部とされているものである。このようなテープカセット用収納ケースは、側壁を下にして落下された時に、外周縁部が先端側の曲面によって広い落下角度に対応して弾性変形しテープカセットが受ける衝撃を緩和させる。外周縁部の張り出し幅は、収納ケースの実用時に支障とならない限りにおいて、特に限定されない。
【００２２】
函体と蓋体とをロックするために、連接部とは反対側の正面側の側面において、函体の側壁と蓋体の側壁が重なり合う箇所に側壁ロック部を設け得るが、側壁ロック部のみを設ける場合には、上記外周縁部は連続したものとすることができる。同じく正面側の側面において、底面板とヒンジで接続されたフラップ板を蓋体の側壁に重ね合わせてロックさせるサイドロック部を設ける場合には、当然のことながら、その部分で外周縁部は欠落される。この場合、フラップ板を蓋体の側壁にロックさせた状態で外周縁部の先端部より内側にあるようにすることにより、収納ケースが落下されても、フラップ板は直接には衝撃を受けないので、ロックが外れて蓋体が開くような事態を回避し得る。函体と蓋体とのロックをサイドロック部と側壁ロック部とによるダブルロックとすることにより、ロックの耐衝撃性を一層向上させることができる。
【００２３】
請求項２３のテープカセット用収納ケースは、函体の底面板と蓋体の天面板との少なくとも何れか一方に形成された、内方へ凸で凸内に空間を有し、テープカセットのシェルまたは少なくとも一方のリールに当接してテープカセットを支持する弾性変形可能な単数または複数の凸面部と、凸面部の上面に立設配置され各リールのハブ穴へ遊挿される一対の円筒状部と、函体の側壁の内の少なくとも一側壁の上縁の所定部位から突出され、上端内面に突出部が形成された突出壁部と、底面板および天面板が、函体の側壁および蓋体の側壁よりも外側へ薄肉として張り出され、先端側が内側へほぼ（１／４）楕円弧状または（１／４）円弧状の曲面に曲げられた弾性変形可能な外周縁部と、両ヒンジ間を外へ凸の円弧状で弾性変形可能な曲面とされ、長手方向の両端部の内面側に同一の略円弧状のリブが形成された連接部とが、一体的に樹脂成形されたものである。
【００２４】
このようなテープカセット用収納ケースは、どのような角度からの衝撃を受けても、またどのような姿勢で落下されても、収納されているテープカセットに加わる衝撃を緩和して、リール及びテープカセットの構成部品の破損を招くことはなく、かつ一体的に樹脂成形されるので収納ケースを低コスト化させる。
【００２５】
弾性変形することによってテープカセットが受ける衝撃を緩和させるための凸面部、突出壁部、外周縁部等は函体、蓋体、および連接部と共に一体的に成形することによって低コストのテープカセット用収納ケースを製造することができる。そのような成形に適した材料としては、弾性率が金属等より小であり弾性限界内の変形量が大である合成樹脂が好ましく、中でも熱可塑性で射出成形やトランスファー成形の可能なポリプロピレン（ＰＰ）は好ましい弾性率と靭性を有し、かつ廉価でもあるので好適である。弾性率、靭性が同等であればＰＰ以外の合成樹脂であってもよく、例えば高分子量ポリエチレンも採用され得る。
【００２６】
【発明の実施の形態】
以下、本発明の各実施の形態について図面を参照して説明する。
【００２７】
図１は、本発明の第１の実施の形態によるテープカセット用収納ケース１０（以降、収納ケース１０と称する）の函体１１から蓋体３１を開けた状態の斜視図であり、従来例の図２９Ｂに相当する図である。また、図２は図１の斜視図に対応する平面図であり、何れの図も収納されるべきテープカセットＣは示されていない。収納ケース１０はポリプロピレン（ＰＰ）からなり、四側壁１３を有する函体１１と、三側壁３３を有する蓋体３１と、函体１１の底面板１２および蓋体３１の天面板３２とはヒンジ２２，２３によって接続され、蓋体３１を閉じた状態で蓋体３１の一側壁になる連接部２１とからなっている。なお、閉じた状態で、蓋体３１の側壁３３は函体１１の側壁１３の外側でほぼ接触する位置関係にある。
【００２８】
図１、図２に示すように、蓋体３１の内部において、連接部２１とは反対側の正面側の側壁３３の内面にはリブ３３ｒが付与され、両端部には鉤部３８ｆを備えた側壁ロック部３８が形成されている。なお、鉤部３８ｆは蓋体３１を閉じた時に、函体１１の側壁１３の内側から、側壁１３に形成されている係止穴１８に係止される。また天面板３２は、後述の図３および図１０に示すように、蓋体３１の表面の外周上端面よりは若干沈んで形成されており、内方へ凸の大面積の凸面部となっていることから上下方向への弾性変形が可能である。また天面板３２の内面の四隅部にはそれぞれボス（請求項４に係る発明の突起部に対応。）３４が形成されており、収納されるテープカセットＣの上面に当接して支持する。
【００２９】
函体１１には四側壁１３が連続して設けられており、四側壁１３が外力を受けても四隅部は直角を保持するように本来の側壁１３の高さと肉厚を持って成形されているが、四隅部間の各側壁は、収納されるテープカセットＣの厚さのほぼ（１／２）の高さの低壁部１３ｗと、その上縁の所定部位から間欠的に突出され弾性変形が可能に形成された３個の突出壁部１３ｘとからなっている。そして後述の図３に示すように、突出壁部１３ｘの上端側の内面には突出部１４が形成されている。これにより、当該上端が函体１１の内側へ向けて形成されたものと同等な効果をもつことになる（請求項１５に係る発明に対応）。通常的には、これらの突出部１４はテープカセットＣとは密接せず、テープカセットＣの収納時に支障とならない程度の間隔が開けられる。同様な意味で、突出部１４の先端部には傾斜面１４ｐが付与されており、テープカセットＣの収納を容易化させる。テープカセットＣは函体１１内で移動されると、先ず突出部１４を介して突出壁部１３ｘと接触するので、突出壁部１３ｘは容易に弾性変形され、その弾性変形量も大となり、テープカセットＣが受ける衝撃を効果的に緩和させる。
【００３０】
また図１及び図３に示すように、函体１１の底面板１２には、収納されるテープカセットＣのリールＲに同心的に、エンボス加工した如くに盛り上げて、極低高の円錐台形状の下段凸面部１５が形成されており、更にその上面１５ｆの中心部を盛り上げて上段凸面部１６が形成されている（請求項８に係る発明に対応）。そして、上段凸面部１６の上面１６ｆの中心部には高さ（長さ）方向にスリット１７ｓが形成された一対の円筒状部１７がそれぞれ立設されており、図３に示すようにスリット幅１７ｇは、円筒状部１７の先端部側ほど大とされている（請求項１３に係る発明に対応）。
【００３１】
図３は収納ケース１０の函体１１内へテープカセットＣを収納し蓋体３１を閉じた時の、図２における［３］−［３］線方向の断面図である。テープカセットＣのシェルＳは部分的な透明窓Ｗを有するアッパーシェルＵとＶＴＲから上昇されてくるリール台座を挿入させるためのリール台座挿入開口Ｑを備えたローアシェルＬとを組み合わせて形成されている。シェルＳ内には２個のリール台座挿入開口Ｑと同心的に供給リール（または巻取りリール）Ｒが配置されており、アッパーシェルＵとの間に介装されたコイルバネＰによって押圧されるリールホルダーＨに回転可能に保持されている。そして、函体１１の底面板１２に形成された下段凸面部１５と上段凸面部１６とからなる２段凸面部の上段凸面部１６がリール台座挿入開口Ｑへ挿入され、その上面１６ｆがリールＲの下面に当接されている。更には、上段凸面部１６の上面１６ｆの中心部に立設された円筒状部１７がリールＲのハブ穴Ｒｈに遊挿されている（請求項１１に係る発明に対応）。
【００３２】
ハブ穴Ｒｈは、内周面にリール駆動用爪が形成される駆動爪穴部Ｒｈ１と、駆動爪穴部Ｒｈ１と同心的に形成され駆動爪穴部Ｒｈ１よりも小径の基準穴部Ｒｈ２とからなり、円筒状部１７は、基準穴部Ｒｈ２に到達する高さに形成されている（図３）。
【００３３】
更には、図３に示すように、収納ケース１０の連接部２１はヒンジ２２とヒンジ２３との間が外へ凸の略円弧状の曲面２４とされており、図１、図２に示すように、両端部には同一の略円弧状の端部を有するリブ２４ｒが形成されている。また図３には、連接部２１とは反対側の正面側にその一部が示されているが、図２に示すように、連接部２１を除く三側面において、底面板１２および天面板３２は、函体１１の側壁１３および蓋体３１の側壁３３より外側へそれぞれ薄肉として突出され、図８に拡大して示すように、それらの先端部は内側へほぼ（１／４）楕円弧状に曲げられて、先端曲面４２、５２を有する外周縁部４１、５１とされている。なお、図８Ａは函体１１側の外周縁部４１、図８Ｂは蓋体３１側の外周縁部５１である。そして更に詳しくは、図８Ａに示すように、函体１１側の外周縁部４１には、先端曲面４２の内側に障壁４３が直立して設けられている（請求項１９に係る発明に対応）。この障壁４３は、図３に示すように、蓋体３１が閉じられた時に、蓋体３１の側壁３３の外表面に近接する位置に形成されており、塵埃が外周縁部４１から直接に蓋体３１の側壁３３の下端を経由して収納ケース１０内へ侵入することを抑制する。
【００３４】
また、図１、図２に示すように、収納ケース１０には連接部２１とは反対の正面側には、外周縁部４１、５１を欠落させて、サイドロック部６１が設けられている。すなわち、サイドロック部６１は、函体１１の底面板１２にヒンジ６３を介して接続され、面状補強部６４を付されたフラップ板６２が設けられており、図３に示すように、閉じられた蓋体３１の側壁３３に重ね合わされた時に、図２に示したフラップ板６２に形成されている鉤部６９が蓋体３１の側壁３３の外表面の係止部３９に係止されてロックされるようになっている。
【００３５】
本実施の形態によるテープカセット用収納ケース１０は以上のように構成されるが、次にその作用を説明する。
【００３６】
テープカセットＣの受ける上下方向の衝撃は、テープカセットＣを支持する上段凸面部１６と一体的な下段凸面部１５の上下方向の弾性変形によって吸収されて緩和される。図５はその様子を示す断面図であり、簡明化のために収納ケース１０に収納されるテープカセットＣはその外郭を一点鎖線で示している。なお、このことは後述の図においても同様である。図５Ａは収納ケース１０が底面板１２を下にした姿勢で衝撃を受ける場合の、衝撃を受ける前の状態を示し、図５Ｂは床面Ｆに落下された場合を示す。すなわち、床面Ｆに衝突すると下段凸面部１５が変形してテープカセットＣが受ける衝撃を緩和させる。同時に、テープカセットＣはボス３４を介して弾性変形可能な凸面部である天面板３２に支持されているので、天面板３２の弾性変形によっても受ける衝撃が緩和される。
【００３７】
また、図６は収納ケース１０が連接部２１を下にして落下される場合を示す断面図である。そして、図６Ａは衝撃を受ける前の状態を示し、図６Ｂは床面Ｆに落下された場合を示す。すなわち、床面Ｆに衝突することにより連接部２１の円弧状曲面２４がフラット化することによりテープカセットＣが受ける衝撃を緩和させる。上記のフラット化は通常的には弾性限界内の変形であり、元の円弧状曲面２４に回復することは言うまでもない。
【００３８】
またこの時、テープカセットＣは突出部１４を介して連接部２１側の突出壁部１３ｘに接触するが、突出壁部１３ｘは下側へ弾性限界内で屈曲することによってテープカセットＣが受ける衝撃を緩和させる。
【００３９】
そして、更には、テープカセットＣ内のリールのハブ穴Ｒｈへ遊挿されている円筒状部１７は、テープカセットＣが底面板１２と平行な方向へ移動される時にハブ穴Ｒｈと当接して弾性変形することにより、テープカセットＣが受ける衝撃を緩和する。このとき、円筒状部１７はハブ穴Ｒｈの基準穴部Ｒｈ２に到達する高さに形成しているので（図３）、円筒状部１７の弾性変形は基準穴部Ｒｈ２と当接する先端部で発生し、これにより円筒状部１７全体として容易に弾性変形可能となり、衝撃吸収効率が向上する。
【００４０】
更に、図７は収納ケース１０が外周縁部４１、５１を下にして落下される場合を示す断面図であり、図８は外周縁部４１、５１が床面に接触した場合の変形を示す断面図である。すなわち、図８Ａは函体１１側の外周縁部４１、図８Ｂは蓋体３１側の外周縁部５１に付いての落下の方向と受ける衝撃力による変形を示す。また、図９は外周縁部５１を例として、収納ケース１０が落下する時の傾きの角度が図９Ａ、図９Ｂ、または図９Ｃのように異なっている場合にも、外周縁部５１の先端曲面５２が広い落下角度に対応して弾性変形され衝撃を吸収することを示す。図７に示したように、この時にもテープカセットＣは突出部１４を介して正面側の突出壁部１３ｘ、およびハブ穴Ｒｈに遊挿されている円筒状部１７に接触するが、突出壁部１３ｘと円筒状部１７とが下方へ屈曲されることにより、テープカセットＣが受ける衝撃を緩和させる。
【００４１】
なお、外周縁部４１には、図３に示すように、先端曲面４２の内側において、蓋体３１が閉じられた時にその側壁３３の外面側に近接する位置に、障壁４３が設けられていることから、塵埃が外周縁部４１から直接に側壁３３の下端を経由して収納ケース１０内へ侵入することを抑制する。
【００４２】
図１０は蓋体３１を閉じた状態の収納ケース１０の斜視図であり、従来例の図２９Ａに対応する図である。図３においても説明したが、図１０に明示するように、蓋体３１の天面板３２は蓋体３１の外周上端面から若干下方（内方）へ沈んだ凸面部として形成されており、その内面の四隅部にはボス３４が設けられている。図１１は収納ケース１０が天面板３２を下にして落下される場合を示す断面図であり、図１１Ａは収納ケース１０に衝撃が加わる前の状態、図１１Ｂは床面Ｆに落下され、テープカセットＣの衝撃荷重がボス３４を介して天面板３２に伝達され、天面板３２が下方へ撓むことによってテープカセットＣが受ける衝撃を緩和させている状態を示す。なお、図１０に示す天面板３２の表面側の浅い窪みはラベル類の貼り付けに使用することが可能である。
【００４３】
また図２に示した蓋体３１の天面板３２の内面の四隅部のボス３４を位置決め部材として、透明フィルムや透明シートの略中央部を非融着となるように周囲の線状部分７１ｓで融着することにより、一点鎖線で示す細長い形状の記録カードＤ1 や二点鎖線で示す大面積の記録カードＤ2 を挿入し得るポケット７１を作製することができ、融着作業が簡易化される（請求項６に係る発明に対応）。勿論、ボス３４を設けない場合にも、治具によって天面板３２のエッジを位置決めに利用することは可能である。
【００４４】
次に、図１２は、本発明の第２の実施の形態による収納ケース２０を示している。なお、図において上述の第１の実施の形態と対応する部分については同一の符号を付すと共に、形状に変更を伴う部分については符号の後に（’）を付している。
【００４５】
すなわち本実施の形態による収納ケース２０は、円筒状部１７’に形成されるスリット１７ｓ’の数は４本とされると共にスリット１７ｓ’の長さが若干短く形成されている。また、函体１１の側壁１３に形成される突出壁部１３ｘ’の上端内面には突出部１４’が突出形成されている。更に、サイドロック部６１を構成するフラップ板６２’の形状が台形状となっている。なお突出部１４’は、第１の実施の形態における突出部１４よりも全体的に湾曲した形状を呈しているが、形状の相違による実質的な作用効果の違いは発生しない。また、本実施の形態における側壁１３に対する突出壁部１３ｘ’が占める割合は、上述の第１の実施の形態における側壁１３に対する突出壁部１３ｘが占める割合と同等に構成されているものとする。これらの構成により、上述の第１の実施の形態とほぼ同様な効果を得ることができる。
【００４６】
円筒状部１７’に関しては、スリット１７ｓ’の本数が減少され、スリット１７ｓ’の形成長が第１の実施の形態に比べて若干短く形成されていることもあって、円筒状部１７’全体の剛性が高められた構成となっており、一般消費者向けのテープカセットに比較して重量の大きなテープカセット用の収納ケース等に適用され得る。
【００４７】
一方、フラップ板６２’に関しては、ヒンジ６３’側の端辺部６２ａ’がこれと対向する外縁側の端辺部６２ｂ’よりも長く形成された台形状を呈すると共に、補強用のリブ６４’が一体形成されている。図１３に示すように蓋体３１の正面側の側壁３３には単一の係止部３９’が一体形成されており、図中一点鎖線で示すようにフラップ板６２’が収納ケース２０をロックする位置にあるときに、フラップ板６２’の鉤部６９’と係止してロック状態を保持し、側壁ロック部３８（図１２）と共に収納ケース２０のダブルロック機能を果たす。また、係止部３９’が設けられる側壁３３と天面板３２との角部を部分的に欠落させてなる凹所６５が、指が入り込める程度の大きさに形成されており、フラップ板６２’が係止状態にあるときに、薄肉状に形成されたフラップ板６２’の端辺部６２ｂ’側の内面６２ｃ’を外部へ露出させる（以上、請求項２１，２２に係る発明に対応）。
【００４８】
以上のように構成されることにより、係止部３９’が一箇所のみであるので、ユーザーが片手でフラップ板６２’のロック状態を解除することが可能となる。このとき、上述の第１の実施の形態と同等のロック力を得るために係止部３９’における係止力を高める必要性が生じた場合でも、凹所６５の形成によりフラップ板６２’の端辺部６２ｂ’を外方へ大きく突出させることなく、ユーザーの指がフラップ板６２’の内面６２ｃ’と接触する面積を大きくとることができると同時に端辺部６２ｂ’が撓まない程度にその延在長が短くされているため、フラップ板６２’の操作性が損なわれることはない。更にフラップ板６２’は、その端辺部６２ａ’が上記端辺部６２ｂ’よりも長い略台形状に形成されているので、ヒンジ６３’の延在長を長くとることができ、よって、フラップ板６２’の分断（千切れ）のおそれを低減することができる。
【００４９】
一方、本実施の形態による収納ケース２０においては、図１４〜図１６に示すように底面板１２の外面側に脚部２７が突設されている（請求項７に係る発明に対応）。脚部２７は底面板１２の周縁に沿って連続的に形成されているが（図１４）、これに限らず、間欠的に形成されていてもよい。脚部２７の形成位置は、天面板３２の外面の周縁段部２８よりも内方側とされる（図１６）。これにより、複数の収納ケース２０を上下に積み重ねた際に、脚部２７と周縁段部２８とが係合関係を持ち、不用意な振動等によって位置ズレを起こしたり、崩れたりすることが回避される。
【００５０】
続いて、図１７〜図２０は、本発明の第３の実施の形態を示している。なお図において上述の第１の実施の形態と対応する部分については同一の符号を付し、その詳細な説明は省略するものとする。本実施の形態では、底面板１２の上段凸面部１６上面に立設配置される円筒状部５５の構成が、上述の各実施の形態における円筒状部１７，１７’の構成と異なっている。
【００５１】
図１７に示すように円筒状部５５は４本のスリット５５ｓによって周方向に４分割されると共に、先端部には外方へ突出する端面略球面状の膨出部５５ａが形成されている（請求項１４に係る発明に対応）。膨出部５５ａは、ハブ穴Ｒｈの駆動爪穴部Ｒｈ１に対向している。これにより、外部から衝撃を受けてリールＲがテープカセットＣ内で移動する際、図１８に示すように駆動爪穴部Ｒｈ１が円筒状部５５の膨出部５５ａに当接し、円筒状部５５を弾性変形させることにより衝撃が吸収される。
【００５２】
すなわち本実施の形態では、円筒状部５５の容易な弾性変形を確保するべく、その先端部にハブ穴Ｒｈと当接する膨出部５５ａを設けるようにしたもので、円筒状部１７を基準穴部Ｒｈ２に到達する高さに構成した上述の第１の実施の形態と同等の効果を得るようにしたものである。
【００５３】
図１９及び図２０は、上述した構成の円筒状部５５の製造工程を模式的に示す工程図である。図は、可動金型７１と固定金型７２とで画成されるキャビティ内に樹脂材料Ｍを充填して函体１１を作製する部位を示している。なお、簡略化のため、凸面部１５，１６の図示は省略している。
【００５４】
樹脂材料Ｍの硬化後（図１９Ａ）、円筒状部５５の中心部に位置する先抜きピン７３を後退させ（図１９Ｂ）、次いで、可動金型７１，固定金型７２を型開きする（図１９Ｃ）。先抜きピン７３の後退は、油圧又は空圧シリンダあるいは電動モータを駆動源とすることが可能である。続いて、可動金型７１に挿通された複数の突出しピン７４を同時に前進させて可動金型７１の金型面から函体１１を離型する（図２０Ａ）。このとき円筒状部５５は、それ自体が内方へ弾性変形して可動金型７１から取り出される（図２０Ａ，Ｂ）。
【００５５】
以上、本発明の各実施の形態について説明したが、勿論、本発明はこれらに限られることなく、本発明の技術的思想に基づいて種々の変形が可能である。
【００５６】
例えば以上の第１の実施の形態においては、収納ケース１０の函体１１の底面板１２に形成された極低高の円錐台形状の下段凸面部１５と上段凸面部１６とからなる二段凸面部と、蓋体３１の内方への凸面部である天面板３２に形成されたボス３４とによってテープカセットＣを保持する収納ケース１０を例示したが、図２１に示すように、ボス３４に代えて、底面板１２の下段凸面部１５に対応する円板状の２個の凸面部３５を天面板３２に設けてもよい（請求項３に係る発明に対応）。また、図２１の円板状の凸面部３５に代えて、図２２に示すように、角を丸めた正方形の角板状の下段凸面部３６を設け、その上面に円板状の上段凸面部３７を設けてもよい。図２３は図２２における[２３]−[２３]線方向の断面図であり、二段の凸面部の内部空間を示す。更には図２４に示すように天面板３２の内面側の四隅部に二段突起部４８を設けてもよい。図２５Ａは図２４における[２５]−[２５]線方向の断面図であり、二段突起４８の形状を示す。なお、図２５Ａは二段突起部４８の内方を中空に構成したが、図２５Ｂに示すように二段突起部４８を中実構造として実施することも可能である。
【００５７】
また、テープカセットＣを函体１１の底面板１２に設けた下段凸面部１５と上段凸面部１６とからなる二段凸面部によって、テープカセットＣを下方から支持するようにしたが、これに代えて、図３に対応する図４に示すように、底面板１２に底面側の面積の大きい円錐台形状の下段凸面部８５を形成し、その上面を更に球面状に突出させた球面上段凸面部８６を設けて、その球面上段凸面部８６をテープカセットＣのローアシェルＬのリール台座挿入開口Ｑへ挿入し、球面の上部でリールＲに当接させるようにしてもよい（請求項９に係る発明に対応）。また、当該リールＲをローアシェルＬから浮上させた状態でテープカセットＣを支持するようにしてもよい。なお、図４において、テープカセットＣの支持部分以外の構成要素は図３と全く同様であるので、共通する構成要素については同一の符号を付して、それらの説明は省略する。
【００５８】
さらに、以上の第１の各実施の形態では、底面板１２に多段の凸面部１５，１６を設け、その最上面１６ｆに円筒状部１７を設けた構成について説明したが、これに限らず、図２６に示すように平板状の底面板１２に対し直接、円筒状部９１〜９３を立設するようにしてもよい（請求項１に係る発明に対応）。
【００５９】
ここで図２６Ａは、円筒状部９１としてその閉塞端が底面板１２と同一レベルに有する構成例で、円筒状部９１の先端部は、ハブ孔Ｒｈの基準孔部Ｒｈ２に到達する高さに設定される。円筒状部９１はハブ穴Ｒｈの基準穴部Ｒｈ２に到達する高さに形成しているので、円筒状部９１の弾性変形は基準穴部Ｒｈ２と当接する先端部で発生し、これにより円筒状部９１全体として容易に弾性変形可能となり、衝撃吸収効率を向上させることができる。
【００６０】
図２７に、比較例としてハブ孔Ｒｈの駆動爪穴部Ｒｈ１内に先端部が位置する円筒状部９０を備えた収納ケースの要部の構成を示す。本例では、円筒状部９０の弾性変形はハブ穴Ｒｈの駆動爪穴部Ｒｈ１との当接により生じるために、上記の場合に比べて弾性変形能が低く、衝撃吸収効率の大きな向上を期待することはできない。
【００６１】
また、図２６Ｂに示す円筒状部９２は、上記円筒状部９１に対して高さ方向へ所定本数のスリット９２ｓを形成した構成例であり（請求項２に係る発明に対応）、弾性変形能の向上が図られている。このスリット９２Ｓの延在長は図示するように円筒状部９２の高さ方向全域に形成するだけに限らず、少なくとも先端部側に形成されていればよい。そして図２６Ｃに示す円筒状部９３は、その閉塞端９３ａが基準孔部Ｒｈ２に到達する先端部に位置する構成例である。
【００６２】
また、テープカセット用収納ケース１０を平面形状が長方形の略直方体形状を有するものとして説明したが、平面形状は長方形の隅を落とした八角形状としてもよく、また長さ方向の両端部を半円形とした小判形状としてもよく、その平面形状は限定されない。
【００６３】
また、函体１１に設けられる弾性変形可能な突出壁部１３ｘを方形状としたが、これ以外の形状、例えば柄付き方形状や逆台形状としてもよく、大きい弾性変形量を得ることが可能である。また、突出壁部１３ｘの上端部に突出部１４，１４’を設けて当該上端部を函体１１の内側へ向けて形成するようにしたが、突出壁部１３ｘを低壁部１３ｗの上縁から内側へ直線的に形成することによって上記勾配を持たせるようにしてもよい。
【００６４】
一方、図１に示したように、天面板３２の内面側の四隅部にそれぞれ突起部としてのボス３４を設けたが、設けるボスの数や位置は限定されない。また、ボス３４の内部にゴム等の弾性材料を充填すれば、衝撃吸収機能を一層向上させることができる（請求項５に係る発明に対応）。
【００６５】
図２８はその構成例を示すもので、図２８Ａは環状のリブ体で構成されるボス３４の中心部に立設されるピン３４Ａを利用して、弾性材料７６をボス３４内に圧入により充填する構成例である。この場合、弾性材料７６に形成する嵌入孔７６ａは、ピン３４Ａよりも小径とすることが望ましいことは、言うまでもない。一方の図２８Ｂは、ピン３４Ａに弾性材料７７を嵌入した後、ピン３４Ａの頭部３４Ｂを溶融等によりかしめて弾性材料７７の抜け止めを行う構成例である。この場合、弾性材料７７の嵌入孔７７ａは段付形状とし、その小径孔部はピン３４Ａと同等に形成すればよい。その他、弾性材料とボスとの間に接着剤を塗布して一体化する等の公知の方法が採用可能である。
【００６６】
更に、以上の各実施の形態においては、サイドロック部６１と側壁ロック部３８とによるダブルロックを採用したが、側壁ロック部３８のみとしてもよく、その場合には外周縁４１、５１は正面側における欠落のないものとされる。一方、サイドロック部６１を構成するフラップ板６２，６２’は１つに限らず、形状を小さくして２つ以上設けてもよい。また、フラップ板６２’を係止する係止部３９’も１つに限らず、隣接して２つ以上設けるようにしてもよい。
また、業務用テープカセットＣを収納対象とする収納ケースに付いて説明したが、本発明のテープカセット用収納ケースはこれ以外のテープカセット、例えば一般消費者向けのテープカセットの収納ケースにも適用される。
【００６７】
【発明の効果】
以上述べたように、本発明のテープカセット用収納ケースによれば、以下の効果を得ることができる。
【００６８】
請求項１のテープカセット用収納ケースによれば、底面板、天面板に平行な方向の成分を有する衝撃を受けた時に、一対の円筒状部が各リールの基準穴部との当接により容易に弾性変形して衝撃を緩和し、リール及びテープカセットの構成部品を破損を回避することができる。
【００６９】
請求項２の発明によれば、円筒状部の弾性変形をより容易として、衝撃エネルギの吸収効果を高めることができる。
【００７０】
請求項３のテープカセット用収納ケースによれば、上記請求項１における発明の効果に加えて、函体の底面板と蓋体の天面板との少なくとも何れか一方に形成される弾性変形可能な凸面部によってテープカセットが支持され、テープカセットが受ける衝撃の上下方向の成分が緩和されるので、リール及びテープカセットの構成部品の破損などのトラブルを発生させない。そして、凸面部によってテープカセットのシェルを支持する場合には、テープカセット内でリールがシェルに接した状態になるので、衝撃を受けた時に生じやすいリールの構成部品の損傷を抑制する。
【００７１】
請求項４の発明によれば、凸面部または平面部の上面から内方へ突出された突起部がテープカセットのシェルに当接して支持するので、突起部が凸面部を変形させてテープカセットが受ける衝撃を緩和させる。
【００７２】
請求項５の発明によれば、突起部内に充填した弾性材料の弾性変形によって、テープカセットへ伝わる衝撃の吸収効果を高めることができる。
【００７３】
請求項６の発明によれば、蓋体の天面板の内面の四隅部に設けられる突起部を位置決めに利用し透明なシートまたはフィルムを部分融着して形状タイプの異る記録カードの挿入が可能なカード用ポケットを作成することができる。
【００７４】
請求項７の発明によれば、複数の収納ケースを積み重ねた時に、不用意な振動等による位置ズレや崩壊を抑制することができる。
【００７５】
請求項８の発明によれば、凸面部が二段以上の多段凸面部とされているので、各段の断面形状および平面形状をテープカセットのシェルの形状に応じて適切に設定することができると共に、衝撃の吸収効果を高めることができる。
【００７６】
請求項９の発明によれば、多段凸面部の最上段の上面がリールの底面に当接してテープカセットを支持するので、外部からの衝撃によるリール及びテープカセットの損傷を回避することができる。
【００７７】
請求項１０の発明によれば、テープカセット内の各リールの移動を規制して、衝撃によるリール構成部品の損傷を回避することができる。
【００７８】
請求項１１の発明によれば、テープカセット内の各リールの移動を規制して、衝撃によるリール構成部品の損傷を回避することができる。
【００７９】
請求項１２の発明によれば、スリットの形成により円筒状部の弾性変形を容易として衝撃の吸収効果を高めることができる。
【００８０】
請求項１３の発明によれば、成形後に金型から収納ケースを容易に取り出すことができ、収納ケースの生産性を高める。
【００８１】
請求項１４の発明によれば、膨出部を介して円筒状部の十分な弾性変形を得ることができ、衝撃吸収効果を高めることができる。
【００８２】
そして、請求項１５のテープカセット用収納ケースによれば、収納ケース内でテープカセットが移動されて接触する突出壁部が弾性変形して、テープカセットが受ける衝撃の底面板に平行な方向の成分を緩和させるので、テープカセット内において、リール及びテープカセットの構成部品の損傷を招かない。
【００８３】
請求項１６の発明によれば、テープカセットは突出壁部の上端側の内面に形成される突出部を介して突出壁部に接触するので、突出壁部の弾性変形量が大となり、テープカセットが受ける衝撃の底面板、天面板に平行な方向の成分を一層効果的に緩和させる。
【００８４】
そして、請求項１７のテープカセット用収納ケースによれば、連接部が外へ凸の略円弧状曲面とされているので、例えば連接部を下にして落下された時に円弧状曲面が弾性変形してテープカセットが受ける衝撃を緩和させる。
【００８５】
更に、請求項１８のテープカセット用収納ケースによれば、蓋体の天面板および函体の底面板が側壁より外側へ薄肉として張り出され、その先端部を内側へ曲げた外周縁部が形成されているので、外周縁部を下側にして落下される収納ケースは落下時の姿勢にほぼ関係なく先端曲面が変形されてテープカセットが受ける衝撃を緩和させる。
【００８６】
請求項１９の発明によれば、底面板側の外周縁の先端曲面の内側に、施蓋時の蓋体の側壁に近接して設けられる障壁によって塵埃が直接の側壁の下端から収納ケース内へ侵入すること防ぎ、塵埃によるトラブルの発生を抑制する。
【００８７】
請求項２０の発明によれば、函体と蓋体とが、サイドロック部と側壁ロック部とによってダブルロックとされ、かつサイドロック部は外周縁部の先端より内側でロックされるので、収納ケースが落下されて衝撃を受けてもサイドロック部は直接的な衝撃を受けず、ロックが外れて蓋体が開くことはない。
【００８８】
請求項２１の発明によれば、サイドロック部の一構成要素であるフラップ板の分断を回避しながら、ユーザーによる片手での操作性を高めることができる。
【００８９】
請求項２２の発明によれば、サイドロック部の開閉操作性をより向上させることができる。
【００９０】
更に、請求項２３のテープカセット用収納ケースによれば、函体の底面板と蓋体の天面板との少なくとも何れか一方に形成される凸面部が上下方向に弾性変形してテープカセットが受ける衝撃の上下方向の成分を緩和させる。また、函体の側壁における突出壁部が収納ケース内で移動するテープカセットによって弾性的に屈曲されてテープカセットが受ける衝撃の底面板、天面板に平行な方向の成分を緩和させる。更には底面板側と天面板側の外周縁部、および連接部の略円弧状曲面は収納ケースが側面側から衝撃を受けた時に弾性変形してテープカセットが受ける衝撃を緩和させる。すなわち、収納ケースがどのような方向からの衝撃を受けても、またどの様な姿勢で落下されても、テープカセットが受ける衝撃を緩和させ、リールに巻かれているテープに巻きずれを発生させず、リール及びテープカセットの構成部品に損傷を与えない。また、このような収納ケースが一体的に樹脂成形されるので、低コストの収納ケースを提供することができる。
【図面の簡単な説明】
【図１】本発明の第１の実施の形態によるテープカセット用収納ケースの蓋体を開けた状態の斜視図である。
【図２】同平面図である。
【図３】本発明の第１の実施の形態によるテープカセット用収納ケースの蓋体を閉じた状態での図２における［３］−［３］線方向の断面図である。
【図４】図３に対応する変形例の同様な断面図である。
【図５】本発明の第１の実施の形態によるテープカセット用収納ケースが底面板を下にして落下された時の衝撃の緩和を示す断面図であり、Ａは衝撃を受ける前の状態、Ｂは衝撃が底面板の下段凸面部の弾性変形によって緩和されている状態を示す。
【図６】本発明の第１の実施の形態によるテープカセット用収納ケースが連接部を下にして落下された時の作用を示す断面図であり、Ａは衝撃を受ける前を示し、Ｂは受ける衝撃が連接部の凸曲面の弾性変形及び、突出壁部の弾性変形によって緩和されている状態を示す。
【図７】本発明の第１の実施の形態によるテープカセット用収納ケースが正面側の側面を下にして落下される状態を示す断面図である。
【図８】図７のテープカセット用収納ケースが側壁より外側へ突出された外周縁部の変形によって衝撃を緩和させている状態を示し、Ａは底面板側の外周縁部の変形、Ｂは天面板側の外周縁部の変形を示す。
【図９】本発明の第１の実施の形態によるテープカセット用収納ケースの天面板側の外周縁を例とし、外周縁の先端部の曲面が、テープカセット用収納ケースの広い落下角度範囲からの落下に対して衝撃を緩和させることを示す断面図であり、Ａ、Ｂ、Ｃは異なる落下角度を示す。
【図１０】本発明の第１の実施の形態によるテープカセット用収納ケースの蓋体を閉じた状態の斜視図である。
【図１１】本発明の第１の実施の形態によるテープカセット用収納ケースが蓋体を下にして落下された時の衝撃の緩和を示す断面図であり、Ａは衝撃を受ける前の状態、Ｂは衝撃が天面板の弾性変形によって緩和されている状態を示す。
【図１２】本発明の第２の実施の形態によるテープカセット用収納ケースの蓋体を開けた状態を示す斜視図である。
【図１３】本発明の第２の実施の形態によるテープカセット用収納ケースの蓋体を閉じた状態を示す斜視図である。
【図１４】本発明の第２の実施の形態によるテープカセット用収納ケースの函体の底面側を示す斜視図である。
【図１５】本発明の第２の実施の形態によるテープカセット用収納ケースを複数積み重ねた状態を示す側断面図である。
【図１６】図１５におけるＡ部の拡大図である。
【図１７】Ａは本発明の第３の実施の形態によるテープカセット用収納ケースの要部を示す側断面図であり、Ｂはその円筒状部の平面図である。
【図１８】Ａは本発明の第３の実施の形態によるテープカセット用収納ケースの要部の作用を説明する側断面図であり、Ｂはその円筒状部の平面図である。
【図１９】本発明の第３の実施の形態によるテープカセット用収納ケースの要部の製造工程を説明する図であり、Ａは樹脂充填工程、Ｂは先抜きピンを後退させる工程、Ｃは離型工程、をそれぞれ示す。
【図２０】本発明の第３の実施の形態によるテープカセット用収納ケースの要部の製造工程を説明する図であり、Ａは製品突き出し途中，Ｂは製品突き出し完了を示す図である。
【図２１】図１に対応する変形例を示す斜視図であり、図１のボスに代えて円板状の凸面部が設けられている。
【図２２】図２１と同様に変形例を示す斜視図であり、図１のボスに代えて角を落とした角板状の下段凸面部とその上面に小円板状の上段凸面部が設けられている。
【図２３】図２２における[２３]−[２３]線方向の断面図である。
【図２４】図２１同様に変形例を示す斜視図であり、図１のボスに代えて四隅部に二段突起部が設けられている。
【図２５】Ａは図２４における[２５]−[２５]線方向の断面図であり、Ｂはその変形例を示している。
【図２６】Ａ〜Ｃは、本発明に係る円筒状部の構成の変形例を示す要部の側断面図である。
【図２７】図２６に示した変形例の比較例を示すテープカセット要部の側断面図である。
【図２８】Ａ，Ｂ共に、本発明に係る突起部の構成の一例を示す要部の側断面図である。
【図２９】従来例のテープカセット用収納ケースの斜視図であり、Ａは蓋体を閉じた状態、Ｂは蓋体を開けた状態を示す。
【図３０】同従来例のテープカセット用収納ケースにテープカセットが収納された状態を示す斜視図である。
【符号の説明】
１０，２０…テープカセット用収納ケース、１１…函体、１２…底面板、１３…側壁、１３ｗ…低壁部、１３ｘ…突出壁部、１４，１４’…突出部、１５…下段凸面部、１６…上段凸面部、１７，１７’，５５…円筒状部、１７ｓ…スリット、１７ｇ…スリット幅、２１…連接部、２７…脚部、３１…蓋体、３２…天面板、３３…側壁、３４…ボス（突起部）、３８…側壁ロック部、３９，３９’…係止部、４１…外周縁部、５１…外周縁部、５５ａ…膨出部、６１…サイドロック部、６２，６２’…フラップ板、６５…凹所、Ｃ…テープカセット、Ｑ…リール台座挿入用開口、Ｒ…リール、Ｒｈ…ハブ穴、Ｒｈ１…駆動爪穴部、Ｒｈ２…基準穴部。
【図１】
0003649146.tif 000002
【図２】
0003649146.tif 000003
【図３】
0003649146.tif 000004
【図４】
0003649146.tif 000005
【図５】
0003649146.tif 000006
【図６】
0003649146.tif 000007
【図７】
0003649146.tif 000008
【図８】
0003649146.tif 000009
【図９】
0003649146.tif 000010
【図１０】
0003649146.tif 000011
【図１１】
0003649146.tif 000012
【図１２】
0003649146.tif 000013
【図１３】
0003649146.tif 000014
【図１４】
0003649146.tif 000015
【図１５】
0003649146.tif 000016
【図１６】
0003649146.tif 000017
【図１７】
0003649146.tif 000018
【図１８】
0003649146.tif 000019
【図１９】
0003649146.tif 000020
【図２０】
0003649146.tif 000021
【図２１】
0003649146.tif 000022
【図２２】
0003649146.tif 000023
【図２３】
0003649146.tif 000024
【図２４】
0003649146.tif 000025
【図２５】
0003649146.tif 000026
【図２６】
0003649146.tif 000027
【図２７】
0003649146.tif 000028
【図２８】
0003649146.tif 000029
【図２９】
0003649146.tif 000030
【図３０】
0003649146.tif 000031